(57)【要約】      （修正有）【課題】偏光子の異なる入射角での消光比及び偏光角のテスト効率を向上させ、そのテスト過程を簡略化するための偏光測定装置または方法を提供する。【解決手段】偏光測定装置は光源１２、偏光子２２、検光子５２、回転モジュール、画像センサー７及び分析モジュールを含み、前記光源１２から発する光は偏光子２２を経て偏光され、前記検光子５２によって偏光を検出した後、前記画像センサー７に入射され、前記回転モジュールは前記検光子５２を駆動して回転させ、前記画像センサー７は偏光を検出した後の光の結像情報を取得し、前記分析モジュールは前記結像情報及び回転角に基づいて偏光子２２の異なる入射角での偏光特性を計算する。【選択図】図４
2019144237.tif 000002
【特許請求の範囲】
【請求項１】
光源、第一偏光子、第二偏光子、回転モジュール、画像センサー及び分析モジュールを含み、前記光源から発する複数の異なる入射角を有する光線は前記第一偏光子を経て偏光され、前記第二偏光子を経た後、前記画像センサーによって検出され、前記回転モジュールは前記第二偏光子を駆動して前記第二偏光子の法線方向を回動軸として段階的に所定の角度で回転させ、前記画像センサーは前記第二偏光子が一角度回転する度に前記第二偏光子を経て生成される前記複数の異なる入射角を有する光線に対応する複数の偏光の結像情報を取得し、前記分析モジュールは前記結像情報及び前記第二偏光子の回転角度に基づいて前記第一偏光子の異なる入射角での偏光特性を計算する、
ことを特徴とする偏光測定装置。
【請求項２】
前記光源、前記第一偏光子、前記第二偏光子及び前記画像センサーの中心軸は互いに位置が合わせられる、
ことを特徴とする請求項１に記載の偏光測定装置。
【請求項３】
前記光線は自然光である、
ことを特徴とする請求項１に記載の偏光測定装置。
【請求項４】
前記偏光測定装置は絞り及びコリメートレンズをさらに含み、前記光源から発する光線は順次前記第一偏光子を経て偏光され、前記絞りを経て角度が制限され、前記コリメートレンズを経てコリメートされた後、前記第二偏光子に入射される、
ことを特徴とする請求項１に記載の偏光測定装置。
【請求項５】
前記回転モジュールは回転モータ及び装着ボックスを含み、前記第二偏光子は前記装着ボックスに装着され、前記回転モータは前記装着ボックスを駆動して回転させる、
ことを特徴とする請求項４に記載の偏光測定装置。
【請求項６】
前記画像センサーはＣＣＤ画像センサーである、
ことを特徴とする請求項１に記載の偏光測定装置。
【請求項７】
前記画像センサーは複数の画素点で形成された画素アレイを含み、各前記画素点は相応する入射角と対応する偏光の結像情報の収集に用いられる、
ことを特徴とする請求項６に記載の偏光測定装置。
【請求項８】
前記画像センサーによって収集された結像情報は各前記画素点で収集した偏光の光強度情報及び各前記画素点が前記光源に対する位相情報を含む、
ことを特徴とする請求項７に記載の偏光測定装置。
【請求項９】
前記偏光測定装置はフレームをさらに含み、前記第一偏光子、前記絞り、前記コリメートレンズ、前記第二偏光子、前記装着ボックス及び前記回転モータは何れも前記フレーム上に設置される、
ことを特徴とする請求項５に記載の偏光測定装置。
【請求項１０】
前記第一偏光子及び第二偏光子は何れも透過型偏光子である、
ことを特徴とする請求項１に記載の偏光測定装置。
【請求項１１】
光源から発する複数の異なる入射角を有する光線が第一偏光子及び第二偏光子を経て前記複数の異なる入射角を有する光線に対応する複数の偏光を得るステップと、
前記第二偏光子を駆動して、所定の速度で段階的に一定の角度で前記第二偏光子の法線を回動軸として回転させるステップと、
画像センサーによって前記第二偏光子が一角度回転する度に前記第二偏光子を経た前記偏光の結像情報を得るステップと、
分析モジュールが前記結像情報及び前記第二偏光子の回転角度に基づいて前記第一偏光子の異なる入射角での偏光特性を計算するステップと、を含む、
ことを特徴とする請求項１〜１０の何れか一項に記載の偏光測定装置を用いた偏光測定方法。
【請求項１２】
絞りを通じて前記第一偏光子を経た前記光線に対して角度を制限するステップと、
コリメートレンズによって前記絞りを経た前記光線に対してコリメートするステップと、をさらに含む、
ことを特徴とする請求項１１に記載の偏光測定方法。
【請求項１３】
前記画像センサーによって収集された結像情報が前記画像センサーにおける各画素点で収集した対応する入射角を有する光線に関する光強度情報、及び前記画像センサーで各画素点が前記光源に対する位相情報を含む、
ことを特徴とする請求項１１に記載の偏光測定方法。
【請求項１４】
前記第二偏光子の累積回転角が少なくとも１８０度である、
ことを特徴とする請求項１１に記載の偏光測定方法。
【請求項１５】
前記分析モジュールは前記結像情報及び前記第二偏光子の回転角度に基づいて前記第一偏光子の異なる入射角での偏光特性を計算するステップは、
前記画像センサーで各画素点が前記光源に対する位相情報によって各画素点に対応する光線の入射角を確定するステップと、
前記画像センサー上の各画素点が前記第二偏光子の異なる回転角で収集した光強度情報を抽出して画像グレースケール値を抽出し、マリュス法則によって三角関数のフィッティングを行ってフィッティング曲線を得るステップと、
前記フィッティング曲線によって各画素点に対応する偏光の偏光特性を取得し、さらに前記第一偏光子の異なる入射角での偏光特性を得るステップと、を含む、
ことを特徴とする請求項１３に記載の偏光測定方法。
【請求項１６】
前記フィッティング曲線によって各画素点に対応する偏光の偏光特性を得るステップは、
前記画像グレースケール値の最大値と前記画像グレースケール値の最小値の比によって各画素点に対応する偏光の消光比を確定し、さらに前記第一偏光子の各画素点に対応する異なる入射角での光線の消光比を得るステップと、
前記画像グレースケール値の最大値に対応する前記第二偏光子の回転角度に基づいて各画素点に対応する偏光の偏光角を確定し、さらに前記第一偏光子が各画素点に対応する異なる入射角での光線の偏光角を得るステップと、を含む、
ことを特徴とする請求項１５に記載の偏光測定方法。
【請求項１７】
請求項１１〜１６の何れか一項に記載の偏光測定方法によって光配向のための偏光板の偏光特性を測定する、
ことを特徴とする光配向方法。
【発明の詳細な説明】
【技術分野】
【０００１】
本発明は偏光測定技術分野に関し、特に偏光測定装置、偏光測定方法及び光配向方法に関する。
【背景技術】
【０００２】
現在、偏光板はますます広く用いられ、一部の使用環境では、偏光板の互いに異なる入射角度での消光比及び偏光角について測定して研究する必要があり、偏光板には異方性があるため、光線が異なる角度で入射する時には、偏光板の消光比及び偏光角が変化する。偏光板の使用環境が非コリメート光源である場合には、偏光板の異なる入射角での消光比及び偏光角を測定して偏光板が当該光源での総合消光比及び偏光角度を分析することは非常に重要な意義がある。
【０００３】
図１はワイヤーグリッド偏光板の複数の方向からの入射を示す図面であり、ワイヤーグリッド偏光板は、等間隔で平行に設置された不透光材料の遮断線ａと透光基板ｂとからなり、透光基板ｂに遮断線ａに平行する透光スリットを形成して入射光を偏光することができ、透光スリットの透過偏光方向は固定であり、ワイヤーグリッド偏光板は図１に示すようにＺ方向（偏光板の法線方向）から入射される光とＺ’方向から入射される光に対する偏光特性が異なる。一部の使用環境では、偏光板の異なる入射角での消光比及び偏光角に対して測定して研究する必要がある。
【０００４】
図２は、従来の偏光板の消光比及び偏光角を測定するための測定装置を示すものであり、主に光源１１、第１コリメートレンズ４１１、開口絞り３１、第２コリメートレンズ４１２、偏光子２１、検光子５１及びエネルギー検出器６を含む。ここで、光の入射角は偏光子２１の基板に対して完全に垂直するものである。
【０００５】
図２に示すように、コリメートされた光は、偏光子２１及び検光子５１に垂直に入射し、測定過程で、検光子５１は一定の角度で段階的に回転し、検光子５１の回転中にエネルギー検出器６を利用してスポットエネルギーを記録し、測定が終ると、検光子５１が一角度回転する度に対応するスポットエネルギー値に対してフィッティング計算して、光が垂直に入射する際の偏光子２１の消光比及び偏光角が得られる。
【０００６】
さらに、偏光子２１の広角入射時（即ち、入射光は偏光子２１の法線方向と一定の夾角を有する）の偏光特性を測定する必要がある場合には、図３に示すように、まず偏光子２１を回転させてその法線と入射光との夾角を変え、さらに、入射光の入射角度を調整するものであり、以上の測定ステップを繰り返して測定する。ここで、偏光子２１の異なる広角入射時の偏光特性を研究する時には、偏光子２１の設置方向を頻繁に複数回調整して入射光の入射角を調整し、さらに、以上のステップを繰り返さなければならないため、測定過程が極めて煩雑であり、テストの効率が低下する。従って、偏光子の異なる入射角での消光比及び偏光角を測定するための簡単で、且つ効率的な方法を見つけることは、現在解決すべき技術的問題である。
【発明の概要】
【０００７】
本発明の目的は、偏光子の異なる入射角での消光比及び偏光角のテスト効率を向上させ、そのテスト過程を簡略化するための偏光測定装置または方法を提供することにある。
【０００８】
前述した目的を達するために、本発明は、光源、第一偏光子、第二偏光子、回転モジュール、画像センサー及び分析モジュールを含み、前記光源から発する複数の異なる入射角を有する光線は前記第一偏光子を経て偏光され、前記第二偏光子を経た後、前記画像センサーによって検出され、前記回転モジュールは前記第二偏光子を駆動して前記第二偏光子の法線方向を回動軸として段階的に所定の角度で回転させ、前記画像センサーは前記第二偏光子が一角度回転する度に前記第二偏光子を経て生成される前記複数の異なる入射角を有する光線に対応する複数の偏光の結像情報を取得し、前記分析モジュールは前記結像情報及び前記第二偏光子の回転角度に基づいて前記第一偏光子の異なる入射角での偏光特性を計算する偏光測定装置を提供する。
【０００９】
選択的に、前記光源、前記第一偏光子、前記第二偏光子及び前記画像センサーの中心軸は互いに位置が合わせられる。
【００１０】
選択的に、前記光線は自然光である。
【００１１】
選択的に、前記偏光測定装置は絞り及びコリメートレンズをさらに含み、前記光源から発する光線は順次前記第一偏光子を経て偏光され、前記絞りを経て角度が制限され、前記コリメートレンズを経てコリメートされた後、前記第二偏光子に入射される。
【００１２】
選択的に、前記回転モジュールは回転モータ及び装着ボックスを含み、前記第二偏光子は前記装着ボックスに装着され、前記回転モータは前記装着ボックスを駆動して回転させる。
【００１３】
選択的に、前記画像センサーはＣＣＤ画像センサーである。
【００１４】
選択的に、前記画像センサーは複数の画素点で形成された画素アレイを含み、各前記画素点は相応する入射角と対応する偏光の結像情報の収集に用いられる。
【００１５】
選択的に、前記画像センサーによって収集された結像情報は各前記画素点で収集した偏光の光強度情報及び各前記画素点が前記光源に対する位相情報を含む。
【００１６】
選択的に、前記偏光測定装置はフレームをさらに含み、前記第一偏光子、前記絞り、前記コリメートレンズ、前記第二偏光子、前記装着ボックス及び前記回転モータは何れも前記フレーム上に設置される。
【００１７】
選択的に、前記第一偏光子及び第二偏光子は何れも透過型偏光子である。
【００１８】
前述した目的を達するために、本発明は、光源から発する複数の異なる入射角を有する光線が第一偏光子及び第二偏光子を経て前記複数の異なる入射角を有する光線に対応する複数の偏光を得るステップと、
前記第二偏光子を駆動して、所定の速度で段階的に一定の角度で前記第二偏光子の法線を回動軸として回転させるステップと、
画像センサーによって前記第二偏光子が一角度回転する度に前記第二偏光子を経た前記偏光の結像情報を得るステップと、
分析モジュールが前記結像情報及び前記第二偏光子の回転角度に基づいて前記第一偏光子の異なる入射角での偏光特性を計算するステップと、を含む前述した何れか一項に記載の偏光測定装置を用いた偏光測定方法を提供するものである。
【００１９】
選択的に、絞りを通じて前記第一偏光子を経た前記光線に対して角度を制限するステップと、
コリメートレンズによって前記絞りを経た前記光線に対してコリメートするステップと、をさらに含む。
【００２０】
選択的に、前記画像センサーによって収集された結像情報が前記画像センサーにおける各画素点で収集した対応する入射角を有する光線に関する光強度情報、及び前記画像センサーで各画素点が前記光源に対する位相情報を含む。
【００２１】
選択的に、前記第二偏光子の累積回転角が少なくとも１８０度である。
【００２２】
選択的に、前記分析モジュールは前記結像情報及び前記第二偏光子の回転角度に基づいて前記第一偏光子の異なる入射角での偏光特性を計算するステップは、
前記画像センサーで各画素点が前記光源に対する位相情報によって各画素点に対応する光線の入射角を確定するステップと、
前記画像センサー上の各画素点が前記第二偏光子の異なる回転角で収集した光強度情報を抽出して画像グレースケール値を抽出し、マリュス法則によって三角関数のフィッティングを行ってフィッティング曲線を得るステップと、
前記フィッティング曲線によって各画素点に対応する偏光の偏光特性を取得し、さらに前記第一偏光子の異なる入射角での偏光特性を得るステップと、を含む。
【００２３】
選択的に、前記フィッティング曲線によって各画素点に対応する偏光の偏光特性を得るステップは、
前記画像グレースケール値の最大値と前記画像グレースケール値の最小値の比によって各画素点に対応する偏光の消光比を確定し、さらに前記第一偏光子の各画素点に対応する異なる入射角での光線の消光比を得るステップと、
前記画像グレースケール値の最大値に対応する前記第二偏光子の回転角度に基づいて各画素点に対応する偏光の偏光角を確定し、さらに前記第一偏光子が各画素点に対応する異なる入射角での光線の偏光角を得るステップと、を含む。
【００２４】
また、本発明は前述の何れか一項に記載の偏光測定方法によって光配向のための偏光板の偏光特性を測定する光配向方法をさらに提供する。
【００２５】
従来技術と比較して、本発明は、画像センサを用いて偏光情報を収集し、画像センサー上の画素アレイ中の異なる画素点を用いて入射角の異なる光に対して偏光を測定し、偏光子の一定の入射角範囲内の複数の入射角の異なる光線に対応する複数の偏光に対して一サイクルの収集測定を行うだけで、異なる画素点上の入射光の強度情報及び入射角の位相情報（画素点の光源に対する位置情報）によって偏光子の異なる入射角での偏光特性を計算することができ、偏光テスト過程を簡略し、テストの効率を効果的に向上させるものである。
【図面の簡単な説明】
【００２６】
【図１】ワイヤーグリッドの複数の方向からの入射を示す図面である。
【図２】従来の偏光板の偏光特性テスト方法を示す図面である。
【図３】従来の偏光板の広角入射時の偏光特性テスト方法を示す図面である。
【図４】本発明の実施例における偏光測定装置の構造を示す図面である。
【図５】本発明の実施例における測定光路を示す図面である。
【図６】本発明の実施例における画像センサーによって撮影されたスポットを示す図面である。
【図７】本発明の実施例における画像センサーによって撮影されたスポットの三次元図面である。
【図８】本発明の実施例における測定方法のステップを示す図面である。
【図９】本発明の実施例における測定方法の中のデータ処理のフローチャートである。
【図１０】本発明の実施例におけるスポットグレースケール値と検光子の回転角の三角関数関係を示す図面である。
【００２７】
ａ−遮断線、ｂ−透光基板、１１−光源、１２−光源、２１−偏光子、２２−偏光子、３１−開口絞り、３２−開口絞り、４１１−第一コリメートレンズ、４１２−第二コリメートレンズ、４２−コリメートレンズ、５１−検光子、５２−検光子、６−エネルギー検出器、７−画像センサー、７１−画素アレイ、７１１−画素点、８−回転モータ、９−検光子装着ボックス、１０−フレーム、Ｓ−スポット。
【発明を実施するための形態】
【００２８】
以下、図面とともに本発明の具体的な実施形態について詳しく説明する。以下の説明及び請求項によって本発明の長所及び特徴はさらに明確になる。なお、本発明の図面は何れも非常に簡易化した形式を採用し、且つ正確ではない縮尺比率を使用しており、本発明の実施例を容易かつ明確に説明することを補助するために用いられることに留意すべきである。
【００２９】
発明者は図３に示すような偏光板の消光比及び偏光角測定方法を利用して偏光板を測定することを試みたが、検光子２１の異なる広角で入射時の偏光特性を研究する時には、検光子２１を頻繁に複数回回転させて入射光の入射角度を調整し、さらに以上のステップを繰り返さなければならないため、測定過程が極めて煩雑となり、テストの効率が低下する。
【００３０】
図７に示すように、画像センサーを用いて検光子によるスポット情報を収集する時には、スポットのエネルギー情報を収集することができるだけでなく、画像センサーで画素アレイ上の異なる画素点が光源に対する位置によってスポットの位相情報を確定することができる。
【００３１】
本発明は偏光測定装置及び測定方法を提案するものであり、エネルギー検出器の代わりに画像センサーを用いて偏光を検出した後の偏光に対して収集して測定し、スポットエネルギー情報を収集するとともに、画素アレイ上の異なる画素点で前記画素点上に入射された光線の位相情報を収集し、偏光子の所定の入射角範囲（即ち、複数の異なる入射角を含む）を有する自然光での偏光に対してのみ測定して収集し、さらに、画像センサーによって撮影された画像光強度情報及び各画素点に対応する位相情報を結合してデータ処理をすれば、偏光子の前記異なる入射角（図７に示すような方位角θ、偏光角ψ）での消光比及び偏光角を効率的に計算して得ることができる。
【００３２】
以下、図４〜図１０とともに本発明の実施例の内容について詳しく説明する。
図４に示すように、本発明の実施例は偏光測定装置を提案するものである。前記偏光測定装置は、光源１２、偏光子２２、検光子５２、画像センサー７、回転モジュール及び分析モジュール（図示しない）を含み、光源２１から発する複数の異なる入射角を有する光は偏光子２２を経て偏光され、検光子５２を経た後、画像センサー７に入射され、前記回転モジュールは検光子５２を駆動して検光子５２の法線方向を回動軸として回転し、画像センサー７は偏光を検出した後の複数の異なる入射角の光線に対応する複数の偏光の結像情報をリアルタイムで取得し、前記分析モジュールは得られた結像情報及び検光子５２の回転角度を受信して前記偏光子２２の異なる入射角での偏光特性を計算して確定する。
【００３３】
前記偏光測定装置は、開口絞り３２及びコリメートレンズ４２をさらに含み、前記回転モジュールは回転モータ８及び検光子装着ボックス９を含み、検光子５２は検光子装着ボックス９に装着され、検光子装着ボックス９は高精度の回転モータ８に装着され、回転モータ８は検光子装着ボックス９を駆動して検光子５２の法線方向を回動軸として回転させることによって、検光子５２を駆動して法線方向を回動軸として回転させる。ここで、検光子５２は検光子装着ボックス９上に水平に装着され、回転モータ８は検光子装着ボックス９を駆動して検光子５２の法線方向を回動軸として回転させる。つまり、検光子装着ボックス９を駆動して自分の法線方向を回動軸として回転するようにする。
【００３４】
選択的に、図４に示すように、前記偏光測定装置はフレーム１０をさらに含み、偏光子２２、開口絞り３２、コリメートレンズ４２、検光子５２、検光子装着ボックス９及び回転モータ８は何れも前記フレーム１０上に設置される。
【００３５】
図４及び図５に示すように、光源１２、偏光子２２、開口絞り３２、コリメートレンズ４２、検光子５２及び画像センサー７の中心は互いに位置が合わせられ、偏光子２２、コリメートレンズ４２、検光子５２及び画像センサー７の四つは偏光子２２の法線方向に沿って平行に設置される。つまり、前記一連の素子の中心軸は互いに位置が合わせられる。
【００３６】
選択的に、光源１２は非コリメート光源であり、発出する光は自然光である。
【００３７】
選択的に、コリメートレンズ４２の開口数はテストの需要に応じて適切に選択することができ、コリメートレンズ４２の開口数（ＮＡ）が０．７より大きい場合には、受け入れられる入射光の角度（レンズの主光軸との夾角）は４５°より大きい。
【００３８】
選択的に、偏光子２２及び検光子５２は図１に示すようなワイヤーグリッド偏光板を用いることができ、偏光子２２及び検光子５２は何れも透過型偏光子であり、両者は光を透過して偏光する。
【００３９】
選択的に、画像センサー６はＣＣＤ画像センサーである。もちろん、画像センサー６はＣＭＯＳ画像センサーを選択することもでき、テストの精度に対する要求及びコストによって適切に選択することができる。前記画像センサー６は複数の画素点で形成された画素アレイを含み、各画素点は入射角の異なる光の光強度情報を収集するために用いられる。
【００４０】
図５に示すように、光源２から発する自然光は偏光子２２を経て偏光され、さらに開口絞り３２によって角度が制限され、開口絞り３２を透過した光はコリメートレンズ４２によってコリメートされた後検光子５２に入射され、コリメートされた偏光は検光子５２を透過して偏光を検出し、偏光検出後の偏光は画像センサー７に入射され、画像センサー７上に結像されてスポットが形成される。
【００４１】
図６に示すように、偏光検出後の偏光は画像センサー７の画素アレイ７１上にスポットＳを形成し、画像センサー７上の画像アレイ７１にスポットＳの形状及びグレースケールを記録する。
【００４２】
また、画像センサー７の画素アレイ７１中の各画素点７１１は、入射光線の光強度情報を収集して記録することができるとともに、光線の位相情報、つまり画素点７１１の光源１２に対する位置情報を確定することができ、図７に示すように、現在の画素点の光源１２に対する位置情報によって現在の画素点上に入射された光線の入射角（θ，ψ）を確定することができる。ここで、θは方位角を示し、０〜９０°の値を取り、ψは偏光角を示し、０〜３６０°の値を取る。
【００４３】
前記測定装置を用いてテストをする場合、高精度の回転モータ８を利用して検光子５２が所定の速度で段階的に一定の角度で回転するように制御し、同時に検光子５が一角度回転する度に、画像センサー７を用いてこの時のスポットＳの形状とグレースケールを収集して記録し、また対応する検光子５２の回転角値を記録する。
【００４４】
前記分析モジュールは画像センサー７の画素アレイ７１中の各画素点７１１で収集した入射光線の光強度情報及び位相情報を受信して取得し、この情報によって偏光子２２の偏光特性を計算して確定する。
【００４５】
同時に、本発明の実施例は前記測定装置を用いて検光子の偏光特性を測定する方法をさらに提供する。
図８に示すように、この測定方法は、
Ｓ１、偏光子２２を用いて、光源１２から発する複数の入射角の異なる自然光を偏光して、偏光を得るステップと、
Ｓ２、検光子５２を通じて前記偏光に対して偏光を検出するステップと、
Ｓ３、検光子５２を駆動して所定の速度で段階的に所定の角度で検光子５２の法線方向を回動軸として回転させ、画像センサー７によって検光子５２が一角度回転度の偏光検出後の偏光の結像情報をリアルタイムで取得するステップと、
Ｓ４、分析モジュールを用いて前記結像情報及び前記検光子５２の回転角度に基づいて偏光子２２の異なる入射角での偏光特性を計算するステップと、
を含む。
【００４６】
選択的に、偏光子２２で偏光された後、検光子５２で検出する前、即ちステップＳ１とＳ２との間において、前記測定方法は、
（１）開口絞り３２によって前記偏光に対して角度を制限するステップと、
（２）コリメートレンズ４２を通じて前記開口絞り３２によって角度が制限された前記偏光をコリメートするステップと、をさらに含む。
【００４７】
検光子５２の回転速度及びステッピング角度パラメータは、テストに必要なデータサンプリングレート及び画像センサー７の収集速率などのパラメータによって決められ、異なるパラメータ及び需要によって適切に調節することができる。
【００４８】
ステップＳ３において、収集して得られた結像情報は、収集した光強度情報（及び前記光強度情報によって画像グレースケール値Ｈが得られる）及び各画素点に対応する位相情報を含む。
【００４９】
偏光検出後の結像情報に対しては、透過偏光強度の公式のマリュス法則：
2019144237.tif 000003
により知ることができるように、画像センサー７で得られる画像グレースケール値Ｈと検光子５２の回転角度α’は同様に三角関数の関係
2019144237.tif 000004
を呈する。式において、Ｉは透過光の光強度を表し、Ｉ０は透過光の最大光強度を表し、
2019144237.tif 000005
は偏光子２２の偏光方向と検光子５２の偏光方向との間の夾角であり、Ｈは収集した画像のグレースケール値を表し、Ｈ０は画像グレースケール値の最大値を表し、α’は検光子の回転角度であり、定数Ｃは検光子５２の初期偏光方向と偏光子２２の偏光方向との間の夾角である。
【００５０】
図１０に示すように、画像センサー７から得られた画像グレースケール値Ｈと検光子５２の回転角度α’が三角関数関係
2019144237.tif 000006
を呈するので、テストの過程で、検光子５２は少なくとも半周回転（即ち１８０°回転）して、データーサンプリングの完全性を保証する必要がある。つまり少なくとも1サイクル以内のデータを収集して得られる。選択的に、検光子５２は１回に１０度回転し、毎回回転した後、５秒間停止して、画像センサー７が結像情報を収集するようにし、さらに回転し続けて合計１８〜３６回回転する。
【００５１】
ステップＳ４において、前記分析モジュールによって一連の結像情報（光強度情報（及び対応する画像グレースケール値Ｈ）、画素点の位相情報）、及び検光子５２の回転角α’を取得する。それによって、偏光子２２の異なる入射角度（θ、ψ）での消光比及び偏光角を含む偏光特性を計算する。
【００５２】
具体的には、図９も合わせて参照して説明すると、
分析モジュールを用いて前記結像情報に基づいて偏光子２２の異なる入射角での偏光特性を計算するステップＳ４は、
Ｓ４１、画像センサー７上で各画素点７１１と光源１２の相対位置によって現在の画素点上の自然光の入射角（θ、ψ）を確定し、画像センサー７の入射角の雲図（nephogram：ネフログラム）を得るステップと、
Ｓ４２、画像センサー７上の各画素点７１１が検光子５２の異なる回転角α’で収集した光強度情報及び得られた対応する画像グレースケール値Ｈを抽出し、マリュス法則によって三角関数フィッティングを行ってフィッティング曲線を得るステップ；
Ｓ４３、フィッティングにより得られたフィッティング曲線によって各画素点に対応する偏光の偏光特性を算出して画像センサー７に対応する偏光特性の雲図（nephogram：ネフログラム）が得られ、入射角の雲図（nephogram：ネフログラム）と偏光特性の雲図（nephogram：ネフログラム）を結合して偏光子２２の異なる入射角（θ、ψ）での偏光特性が得られるステップと、を含む。
【００５３】
選択的に、ステップＳ４１において、図７に示すように、前記分析モジュールにおいて、測定装置の構造によって光の入射角を計算し、画素アレイ７１における各画素点７１１に対して現在の画素点７１１と光源１２の相対位置によって前記画素点７１１に入射される入射光線の入射角（θ、ψ）を確定し、それにより、異なる画素点７１１上の入射光線の入射角の雲図（nephogram：ネフログラム）を得ることができる。
【００５４】
ステップＳ４２において、図９によれば、画素アレイ７１における各画素点７１１に対して、検光子５２を少なくとも半周回転させ、一角度回転する度の光強度情報を収集して対応する画像グレースケール値Ｈを得る。得られた画像グレースケール値Ｈと対応する偏光検出偏光子５２の回転角度α’を抽出し、マリュス法則によって三角関数フィッティングを行って、図１０に示すようなフィッティング三角関数曲線を得る。
【００５５】
ステップＳ４３において、現在の画素点の結像情報のデータによって得られた三角関数曲線をフィッティングした後、さらに前記フィッティング三角関数曲線によって現在の画素点の消光比及び偏光角を求め、さらに画素アレイ７１の消光比の雲図（nephogram：ネフログラム）と偏光角の雲図（nephogram：ネフログラム）を求めて画像センサー７の対応する偏光特性の雲図（nephogram：ネフログラム）を得ることで、偏光子２２の異なる入射角（θ、ψ）での偏光特性を得ることができる。選択的に、フィッティングして得られた三角関数によって各画素点に対応する偏光の偏光特性を計算して確定するステップＳ４３は、
Ｓ４３１、画像グレースケール値Ｈの最大値Ｈ０と画像グレースケール値Ｈの最小値Ｈ１との比によって各画素点に対応する偏光の消光比を確定し、さらに偏光子２２の各画素点に対応する異なる入射角での入射角の消光比を得るステップと、
Ｓ４３２、画像グレースケール値Ｈの最大値Ｈ０に対応する検光子５２の回転角α’によって各画素点に対応する偏光の偏光角を確定し、さらに、偏光子２２の各画素点に対応する異なる入射角での入射光の偏光角を得るステップと、を含む。
【００５６】
ここで、図１０に示すように、各画素点に対して、フィッティング三角関数曲線によって現在の画素点の画像グレースケール値の最大値Ｈ０と画像グレースケール値の最小値Ｈ１を求めることができる。画像グレースケール値の最大値Ｈ０と画像グレースケール値の最小値Ｈ１によって消光比を計算し、画像グレースケール値の最大値Ｈ０と画像グレースケール値の最小値Ｈ１との比が偏光子２２の入射角（θ、ψ）での消光比であり、画像グレースケール値の最大値Ｈ０によって偏光角を確定し、画像グレースケール値の最大値Ｈ０に対応する回転角値α’は偏光子２２の入射角（θ、ψ）での偏光角である。
【００５７】
最後に、画素アレイ７１上の画素７１１の一対一の対応により、ステップＳ４１で得られた入射角の雲図（nephogram：ネフログラム）とステップＳ４３における消光比の雲図（nephogram：ネフログラム）または偏光角の雲図（nephogram：ネフログラム）とを組み合わせて、偏光子２２の異なる入射角（θ、ψ）での消光比及び偏光角を得る。
【００５８】
図１０に示すように、フィッティングされた三角関数曲線上で、ある一サイクル（１８０°）内で、画像グレースケール値の最大値Ｈ０がＡ点にあり、画像グレースケール値の最小値Ｈ１がＢ点にあり、フィッティング曲線上の点ＡとＢに対応する画像グレースケール値Ｈ０とＨ１を収集し、両者の比は現在の画素点の消光比であり、フィッティング曲線上の点Ａに対応する回転角の値α’を収集し、回転角α’は現在の画素点における偏光子２２の偏光角であり、さらに現在の画素点と光源１２との相対位置によって光線の入射角（θ、ψ）を算出して、最終的に画素アレイ７１上の異なる画素７１１によって偏光子２２の異なる入射角（θ、ψ）での消光比及び偏光角が得られ、さらに、偏光子２２の異なる入射角（θ、ψ）での偏光特性が得られる。
【００５９】
また、本発明の実施例は光配向方向をさらに提供するものであり、前記いずれかに記載の偏光測定方法を用いて光配向のための偏光板の偏光特性を測定する。画像センサーを通じてある一入射角範囲内（即ち、複数の異なる角度を有する光線）の偏光結像情報に対して一次的に周期的に収集するだけでよく、偏光子を複数回回転して入射角を調整し、且つ偏光結像情報に対して繰り返し複数回周期的に収集する必要がなく、偏光子の異なる入射角での偏光特性を計算することができる。
【００６０】
上述したように、偏光子を複数回回転して入射角度を調整し、繰り返し収集測定して異なる入射角での消光比及び偏光角を計算する必要がある従来の測定方法に比べて、本発明の実施例による偏光測定装置及び測定方法は、エネルギー検出器の代わりに画像センサを用いて偏光を測定し、画像センサー上の画素アレイ中の異なる位置の画素点を用いて入射角の異なる光に対して偏光を測定し、偏光子の一定の入射角範囲内（複数の異なる角度を有する）の自然光での偏光結像情報に対して一サイクルの収集測定を行うだけで、画像センサーの画素アレイ中の異なる位置における画素点の入射光の位相情報と結合して偏光子が前記入射角の範囲内の異なる入射角での偏光特性を計算して得られることができて、テスト過程を簡略し、テストの効率を向上させた。
【００６１】
以上は本発明の好ましい実施例に過ぎず、本発明に対して何らの制限作用をするのではない。本発明が属する技術分野において通常の知識を有する者は本発明の技術方案の範囲内で、本発明で開示した技術方案及び技術内容に対して何れの形式の同等な取り替えまたは修正などの変動を行うことができ、これらは全部本発明の技術方案を逸脱しない内容に属し、本発明の保護範囲に属する。
【図１】
2019144237.tif 000007
【図２】
2019144237.tif 000008
【図３】
2019144237.tif 000009
【図４】
2019144237.tif 000010
【図５】
2019144237.tif 000011
【図６】
2019144237.tif 000012
【図７】
2019144237.tif 000013
【図８】
2019144237.tif 000014
【図９】
2019144237.tif 000015
【図１０】
2019144237.tif 000016
【外国語明細書】
2019144237.tif 000017
2019144237.tif 000018
2019144237.tif 000019
2019144237.tif 000020
2019144237.tif 000021
2019144237.tif 000022
2019144237.tif 000023
2019144237.tif 000024
2019144237.tif 000025
2019144237.tif 000026
2019144237.tif 000027
2019144237.tif 000028
2019144237.tif 000029
2019144237.tif 000030
2019144237.tif 000031
2019144237.tif 000032
2019144237.tif 000033
2019144237.tif 000034
2019144237.tif 000035
2019144237.tif 000036